(57)【要約】【課題】  完成後の板壁の改修や修理が可能で、簡単・低コストで十分な強度を有する板壁を形成できる木造建築物における板壁の施工方法を提供する。【解決手段】  柱に形成された溝に複数枚の壁板を順次落とし込んで壁板を形成する木造建築物における板壁の施工方法において、壁板１４の端部と嵌合する溝１３ｂと、この溝１３ｂの一端に形成され切欠き１３ａと、この切欠き１３ａに隣接する溝１３ｂの側壁に形成され、壁板１４を溝１３ｂ内まで案内する案内面１３ｄとを有する保持枠１３を準備し、柱１１を立設する前又は立設した後に、切欠き１３ａが上端に位置するように、一対の柱１１の対向面に保持枠１３を取り付ける工程と、柱１１の上端に桁１２を取り付けた後、切欠き１３ａから壁板１４を溝１３ｂ内に嵌入して落とし込む工程とを有する。【選択図】  図１
2008031636.tif 000002
【特許請求の範囲】
【請求項１】
柱に形成された溝に複数枚の壁板を順次落とし込んで板壁を形成する木造建築物における板壁の施工方法において、
前記壁板の端部と嵌合する溝と、この溝の一端に形成され前記壁板の板幅よりも小さい幅に形成された切欠きと、この切欠きに隣接する前記溝の側壁に形成され、前記壁板を前記溝内まで案内する案内面とを有する保持枠を準備し、
前記柱を立設する前又は立設した後に、前記切欠きが上端に位置するように、一対の前記柱の対向面に前記保持枠を取り付ける工程と、
前記柱の上端に桁を取り付けた後、前記切欠きから前記壁板を前記溝内に嵌め込んで落とし込む工程と、
を有することを特徴とする木造建築物における板壁の施工方法。
【請求項２】
前記溝に前記壁板を嵌め込んだ後に、前記壁板の端部と前記溝の底面との間に楔を打ち込み、前記壁板が前記一対の柱間で長手方向に移動しないようにしたことを特徴とする請求項１に記載の木造建築物における板壁の施工方法。
【請求項３】
前記壁板の端部に溝を形成し、この溝に前記楔を打ち込むことを特徴とする請求項２に記載の木造建築物における板壁の施工方法。
【請求項４】
前記壁板の上端縁に、前記壁板の長手方向に沿って一つ又は複数の係合部を形成し、上層に位置する他の前記壁板の下端縁に、前記係合部と係合する被係合部を形成したことを特徴とする請求項１〜３のいずれかに記載の木造建築物における板壁の施工方法。
【発明の詳細な説明】
【技術分野】
【０００１】
本発明は、木造建築物における板壁の施工方法に関し、特に、落とし板工法を用いた板壁の施工方法に関する。
【背景技術】
【０００２】
落とし板工法とは、二本の柱の対向面に上下方向に溝を掘り、この溝に壁板を落とし込んで建物の壁面を形成する施工方法である。
この落とし板工法では、柱を土台の上に立設した後に、柱の上端から溝の内部に壁板の端部を差し込み、溝に沿って土台の上に壁板を順次落とし込むことで板壁を形成する。この種の落とし板工法では、板壁を形成した後に柱の上端に桁を架け渡し、屋根や二階部分など上部の構造体を組上げる必要があった。
【０００３】
そのため、木造建築物の施工手順が制限され、工期短縮が容易ではなくなるほか、デザイン上も制限が加えられるという欠点がある。また、従来の落とし板工法では、木造建築物の板壁の改修や修理を行う場合、柱の上に載っている桁を取り外す必要があることから、僅かな改修や修理であっても工事が大掛かりになるという問題がある。
そこで、特許文献１に記載の施工方法では、壁板を左右の部材に２分割しておき、それら部材の先端をそれぞれ柱に対して係止するとともにそれらの基端どうしを金輪継ぎ等の木組による継手により互いに接合するようにした技術が提案されている。
【特許文献１】特開２００３−３０１５４２号公報（図面の図９及び図４参照）
【発明の開示】
【発明が解決しようとする課題】
【０００４】
上記文献に記載の施工方法では、二分割した壁板を金輪継ぎで接合する必要があり、手間がかかるうえコストも高くなり、板壁の強度が低下するおそれがあるという問題がある。また、この文献に記載の施工方法においても、柱に溝を掘り込む必要があることから、柱の有効断面積が減少して、強度不足になるおそれがあるという問題がある。
本発明は、上記の問題点に鑑みてなされたもので、柱の上端に桁を取り付けた後にも板壁の形成が可能で、かつ、柱に溝を掘る必要がなく、簡単・低コストで十分な強度を有する板壁を形成することのできる木造建築物における板壁の施工方法の提供を目的とする。
【課題を解決するための手段】
【０００５】
上記の目的を達成するために、請求項１に記載の発明は、柱に形成された溝に複数枚の壁板を順次落とし込んで壁板を形成する木造建築物における板壁の施工方法において、前記壁板の端部と嵌合する溝と、この溝の一端に形成され前記壁板よりも小幅に形成された切欠きと、この切欠きに隣接する前記溝の側壁に形成され、前記壁板を前記溝内まで案内する案内面とを有する保持枠を準備し、柱を立設する前又は立設した後に、前記切欠きが上端に位置するように、一対の前記柱の対向面に前記保持枠を取り付ける工程と、前記柱の上端に桁を取り付けた後、前記切欠きから前記壁板を前記溝内に嵌め込んで落とし込む工程とを有する方法である。
この方法によれば、柱の側面に溝を形成する必要がないので、柱の強度を十分に保つことができる。また、柱の対向面に取り付けた保持枠には、上端に位置する切欠き部分から壁板を溝内に嵌め込むことができるので、柱の上端に桁を取り付けた後に壁板を形成することができ、木造建築物の施工手順を制限することなく、かつ、改修や修理も容易に行える。
本発明では、保持枠を予め大量に製造しておき、柱の長さに応じて必要長さに切り分けておけば、施工現場では板壁を形成しようとする柱の対向面に保持枠を取り付けるだけでよく、溝を彫り込み形成するよりも短時間かつ低廉なコストで板壁形成の準備を行うことが可能である。
【０００６】
この場合、請求項２に記載するように、前記溝に前記壁板を嵌め込んだ後に、前記壁板の端部と前記溝の底面との間の隙間に楔を打ち込み、前記壁板が前記一対の柱間で長手方向に移動しないようにしてもよい。この場合、請求項３に記載するように、記壁板の端部に上下方向の溝を形成し、この溝に前記楔を打ち込むようにするとよい。このようにすることで、前記隙間が小さくても、楔を打ち込むことが可能になり、かつ、楔の作用を有効に利用して、壁板を柱と柱の間で強固に固定することが可能になる。
また、請求項４に記載するように、前記壁板の上端縁に、前記壁板の長手方向に沿って一つ又は複数の係合部を形成し、上層に位置する他の前記壁板の下端縁に、前記係合部と係合する被係合部を形成してもよい。
このようにすることで、高強度の壁板を形成することができる。また、壁板間の隙間を無くして断熱性に優れた板壁を形成することができる。
【発明の効果】
【０００７】
本発明の施工方法は、上記のように構成されているので、落とし板工法による板壁の施工が容易かつ低コストで行えるようになる。また、柱の上端に桁を取り付けた後にも板壁の形成が可能で、木造建築物の施工手順の自由度が増し、工期の短縮も容易になる。
さらに、木造建築物の完成後であっても、桁等の他の部材を取り外すことなく容易に板壁の修理や改修等を行うことができる。
また、柱に溝を掘る必要がなく柱の断面積が減少しないので、十分な強度を有する板壁を形成することができる。
【発明を実施するための最良の形態】
【０００８】
以下、本発明の好適な実施形態を、図面を参照しながら詳細に説明する。
図１は、本発明の施工方法により形成される板壁の一実施形態にかかり、その一部を破断した斜視図、図２は、一対の柱のうちの一方の柱の上端部分の拡大斜視図である。
図１に示すように、本発明の施工方法が適用される板壁１は、土台１０の上に複数本の柱１１，１１・・・を立設し、柱１１，１１・・・の上端に桁１２を架け渡すとともに、一対の柱１１，１１の間に、土台１０から桁１２まで、複数枚の壁板１４を順次積み重ねて形成される。
一対の柱１１，１１の対向面には、壁板１４の板厚とほぼ同じ幅の溝を有する断面コの字状の保持枠１３，１３が取り付けられ、この保持枠１３，１３の溝１３ｂ，１３ｂに沿って、上方から嵌め込んだ壁板１４を順次土台１０の上に落とし込んでいく。
保持枠１３，１３は、柱１１又は壁板１４と同じように木質の材料で形成してもよいが、樹脂や金属で形成してもよい。
【０００９】
図２に拡大して示すように、保持枠１３，１３の上端には、溝１３ｂ，１３ｂを形成する二つの側壁のうちの一方を切り落として、切欠き１３ａ，１３ａが形成されている。このような切欠き１３ａ，１３ａを形成することで、柱１１，１１の上に桁１２を取り付けた後であっても、この切欠き１３ａ，１３ａから溝１３ｂ，１３ｂ内に壁板１４を嵌め込むことができるわけである。
【００１０】
図３は、溝１３ｂ内に壁板１４を挿入する際の手順を説明する図で、図１のI-I方向断面矢視図である。
なお、図３（ａ）に示すように、切欠き１３ａの幅ｈは、壁板１４の幅Ｈよりも小さく形成されている。幅Ｈ及び幅ｈの具体的寸法は、例えば、壁板１４の幅Ｈが１２ｃｍの場合において、切欠き１３ａの幅ｈは８ｃｍ〜１０ｃｍ程度である。
このように、切欠き１３ａの幅ｈを壁板１４の幅Ｈよりも小さくするのは、溝１３ｂ内に最後に嵌め込んだ壁板１４、つまり、板壁１の中で最上段に位置する壁板１４が、容易に保持枠１３，１３から脱落しないようにするためである。そして、切欠き１３ａを形成した溝１３ｂの一方の側壁の上端には、円弧状又は傾斜状の案内面１３ｄが形成されていて、切欠き１３ａに差し込まれた壁板１４を、溝１３ｂ内にスムースに導くようにしている。
【００１１】
溝１３ｂ内に壁板１４を挿入する際には、まず、図３（ａ）に示すように、壁板１４を手前（作業者側）に少し傾けた状態で、その両端を切欠き１３ａ，１３ａに位置合わせする。そして、その両端を切欠き１３ａ，１３ａに差し込むように、壁板１４を保持枠１３，１３に向けて移動させる。
次いで、壁板１４の下端縁を案内面１３ｄに当接させて案内させつつ、壁板１４を図３（ｂ）の矢印方向に起こしながら、壁板１４を溝１３ｂ，１３ｂ内に嵌め込む。この後、壁板１４を溝１３ｂ，１３ｂに沿って落下させ、先に嵌め込んだ他の壁板１４の上に積み重ねる。
このようにして、図３（ｃ）に示すように、板壁１が形成される。切欠き１３ａ，１３ａには、板壁１の形成後に埋木１６等を嵌め込むとよい。
【００１２】
図４は、この実施形態における壁板１４，１４の接合部分を説明する拡大図である。
溝１３内に嵌め込まれる壁板１４の下端縁には、その一端から他端まで連続する一条の凸部１４ａが形成されている。また、上端縁には、隣接する他の壁板１４の凸部１４ａが嵌合する凹部１４ｂが形成されている。
このように、壁板１４，１４・・・のそれぞれに凸部１４ａと凹部１４ｂとを形成し、壁板１４，１４・・・を積み重ねる際に一方の壁板１４の凸部１４ａを他方の壁板１４の凹部１４ｂに嵌合させることで、壁板１４，１４・・・からなる壁板１の強度を高めることができるうえ、複数の壁板１４，１４・・・の表面を同一面内に位置合わせすることで、壁板１の外観も向上させることができる。また、壁板間の隙間を無くして断熱性に優れた板壁１を形成することができる。
【００１３】
壁板１４，１４・・・は、予め保持枠１３，１３間の距離（溝１３ｂ，１３ｂの底部間の距離）に一致した正確な長さに寸法合わせをしておけば、保持枠１３，１３の溝１３ｂ，１３ｂに嵌め込んだ後も長手方向にはほとんど移動することがなく、良好な板壁１を施工することができる。
しかし、壁板１４，１４・・・を正確な長さに予め寸法合わせをしておくことは困難で、さらに、湿度や気温の変化等により壁板１４，１４・・・の長さも微妙に変化することから、結局は現場合わせとなり、壁板１４，１４・・・の準備に多大な労力と時間を費やすことになる。
また、壁板１４の長さが保持枠１３，１３の距離に正確に一致した長さであると、壁板１４の端部が溝１３ｂ，１３ｂ内で引っ掛かりやすくなり、壁板１４の落とし込み作業が困難になる。
【００１４】
そこで、この実施形態では、保持枠１３，１３の距離に合わせて大まかに、好ましくは、保持枠１３，１３間の距離よりも僅かに小さい長さになるように、壁板１４，１４・・・の寸法合わせをしている。このようにすることで、壁板１４，１４・・・の準備が容易になるほか、溝１３ｂ，１３ｂ内での引っ掛かりを防止して、壁板１４の落とし込み作業を容易に行える。また、保持枠１３，１３の溝１３ｂ，１３ｂの底面と壁板１４，１４・・・の端面との間にできる隙間に、楔１５を打ち込むことで、壁板１４，１４・・・が長手方向の移動しないようにしている。
この実施形態では、図５に示すように、壁板１４，１４・・・の端部に上下方向の縦溝１４ｃを形成し、この縦溝１４ｃに楔１５を打ち込むようにしている。このようにすることで、保持枠１３の溝１３ｂの底部と壁板１４の端部との間の隙間が小さい場合でも、縦溝１４ｃに楔１５を容易に打ち込むことができ、かつ、楔１５の打ち込みによる締結効果を十分に得ることができる。
なお、楔１５は、壁板１４，１４・・・の両端に打ち込んでもよいが、いずれか一方に打ち込むようにしてもよい。また、最後に溝１３ｂに嵌め込む壁板１４（板壁１の最上段に位置する壁板１４）については、桁１２に阻まれて上方からの楔１５の打ち込みができないため、切欠き１３ａから楔を挿入して正面側から前記隙間に打ち込むようにするとよい。
【００１５】
本発明の好適な実施形態について説明したが、本発明は上記の実施形態に限定されるものではない。
例えば、上記の説明で壁板１４の下端縁に凸部１４ａを形成し、上端縁に凹部１４ｂを形成するものとしたが、凸部１４ａ，１４ｂの形成形態はこれに限られず、上端縁に凸部１４ａを形成し下端縁に凹部１４ｂを形成するものとしてもよい。また、長手方向に連続形成するのではなく、一定間隔で凸部１４ａ及び凹部１４ｂを形成するものとしてもよい。
【産業上の利用可能性】
【００１６】
本発明の施工方法は、板壁を形成する木造建築物であれば、その種類や大きさは問わず広範に適用が可能である。
【図面の簡単な説明】
【００１７】
【図１】本発明の施工方法により形成される板壁の一実施形態にかかり、その一部を破断した斜視図である。
【図２】一対の柱のうちの一方の柱の上端部分の拡大斜視図である。
【図３】溝内に壁板を挿入する際の手順を説明する図で、図１のI-I方向断面矢視図である。
【図４】この実施形態における壁板１４，１４の接合部分を説明する拡大図である。
【図５】保持枠の溝底部と壁板の端部との間に楔を打ち込む状態を示す断面斜視図である。
【符号の説明】
【００１８】
１        板壁
１０      土台
１１      柱
１２      桁
１３      保持枠
１３ａ    切欠き
１３ｂ    溝
１３ｄ    案内面
１４      壁板
１４ａ    凸部
１４ｂ    凹部
１５      楔
１６      埋木
【図１】
2008031636.tif 000003
【図２】
2008031636.tif 000004
【図３】
2008031636.tif 000005
【図４】
2008031636.tif 000006
【図５】
2008031636.tif 000007